(57)【要約】      （修正有）【課題】それぞれのペット個体に適合した検査項目毎の基準値（正常値）が明示されていて、基準値とその後の検診時における検査結果値との比較により、ペット個体のより的確な健康診断及び健康管理を可能にした母子手帳を提供する。【解決手段】少なくとも、ペット個体の愛称、出生年月日及び写真を表示してなるペット個体特定ページと、検診での検査項目欄、この検査項目欄の各々に対応した基準値欄、単位欄及び複数列の検査結果値欄によって構成される検診データ記録ページとを備え、基準値欄には被検査ペット個体の身体的完成期における検査結果数値を予め記入しておき、また、検査結果値欄には基準値以外の検査結果数値を検診日と合わせ時系列的に記入する。【選択図】図２
0003136018.tif 000002
【実用新案登録請求の範囲】
【請求項１】
少なくとも、愛称、出生年月日及び写真を表示してなるペット個体特定ページと、検診での検査項目欄、この検査項目欄の各々の検査項目に対応した基準値欄、単位欄及び複数列の検査結果値欄によって構成された検診データ記録ページとを備え、前記基準値欄には被検査ペット個体の身体的完成期における健康状態での検査結果数値が記入され、検査結果値欄には前記基準値以外の検査結果数値を検診日とともに時系列状に記入できるようにしたことを特徴とするペット用母子手帳。
【考案の詳細な説明】
【技術分野】
【０００１】
本考案は、犬や猫等、各種ペット類の健康状態に関するペット個体別の検診データを時系列的に表示してなるペット用母子手帳に関する。
【背景技術】
【０００２】
人間の場合、子供の健康状態や生育状態が時系列的に記録されるようになっている母子手帳が広く普及している。また、成人になってからも健康管理のために健康診断を行い、各種検査項目毎の結果数値を参考にして病気の早期発見や予防に当たっている。健康診断において被検診者の健康状態を把握するには検査項目毎の数値データが重要となってくるのであるが、この数値データが健康状態を示すものであるか否かは、被検診者の基準値（正常値）との対比によって行われる。したがって、検診での各種検査による健康状態の把握は、信頼のおける検査項目毎の基準値（正常値）が予め明らかにされていることが前提となる。
【０００３】
しかしながら、動物の場合には、犬、猫、小動物等々その種類（動物種）は数多く、また、同種ペットであっても個体毎の遺伝的又は身体的な特徴は千差万別でその違いは大きい。したがって、ペット類の場合、人間の場合のように共通の基準数値があるわけではないので、被検査ペット個体の基準値（正常値）がどの程度のものであるのか、正確には把握しきれていないというのが実際である。
【０００４】
このような事情から、従来一般的に行われているペット類の健康診断にあっては、獣医師による聴診、触診、視診及び飼い主を介しての問診によるのが主体となっていて、異常値が容易に判別できる一部検査項目についての尿検査、体毛検査等による簡単な生体検査が行われているにすぎない。その結果、動物医療において、発見が難しいといわれる糖尿病や肝臓病などの所謂現代病などにあっては、明らかな自覚症状が現れてから治療が行われる場合が多く、健康管理又は予防医療の面からは極めて不十分なものとなっている。
【０００５】
近年人々の食生活や住環境等の変化に伴い、糖尿病、肝臓病、ガン、アトピー等、いわゆる現代病又は成人病とよばれる病気が増えてきているのは周知であるが、これらの病気は人間社会だけではなく、人間と密着して生活しているペットたちの間でも同様に増えてきている。これらの病気は直ぐには自覚症状が現れないのが特徴で、特に、犬や猫などの動物には、体調の変化や病気を隠そうとする本能的特質があるので、飼い主はもちろん経験豊富な獣医師であっても初期段階でこれらの病気を発見することは極めて困難となっている。したがって、これらの病気の早期発見には人間の場合と同様な生体検査等が望まれるのであるが、前記のごとく、被検査ペット個体毎に異なる検査項目別の正確な基準値（正常値）が判っていないため、仮に人間と同様の検診が行われたとしても、検査結果数値が異常であるのか否か、更には、その数値がどの程度異常であるのかの的確な判断が下せずにいるのが現状である。
【０００６】
従来より、人間医療においては、各人の生育状態、健康状態、検査結果又は治療過程等を記録した手帳や用紙等の帳票類（電子記録媒体を含む）は数多く提供され健康管理や予防医療などに利用されている。また、動物医療に関しても、検診方法や検査システム又は個体別の生育状況、予防接種履歴、検診結果等を記録した帳票類も数多く提案されている。しかしながら、少なくとも、これら従来より提案されている動物の検診方法や検査システム又は検診結果などを記録する各種帳票類にあって、ペット個体特有の検査項目毎の基準値（正常値）が明らかにされているものはない。
【特許文献１】登録実用新案第３００８１５２号
【特許文献２】実開昭６１−７４４６号
【特許文献３】特開２００３−２７９５６５号
【特許文献４】特開２００３−３２０７７１号
【特許文献５】特開２００４−０５０６１９号
【特許文献６】特開２００４−２１６６６６号
【特許文献７】特開２００４−２５８６９９号
【特許文献８】特開２００５−１５７８０２号
【考案の開示】
【考案が解決しようとする課題】
【０００７】
本考案は、上記した従来のペット医療上の問題点に鑑みなされたもので、その課題は、それぞれのペット個体に適合した検査項目毎の基準値（正常値）を予め明示しておき、該基準値とその後の検診時における検査結果値との比較により、当該被検診ペット個体のより的確な健康診断及び健康管理を可能にした母子手帳を提供することにある。
【課題を解決するための手段】
【０００８】
上記課題を解決するため、本考案にかかる母子手帳は、少なくとも、ペット個体の愛称、出生年月日及び写真を表示してなるペット個体特定ページと、検診での検査項目欄、この検査項目欄の各々に対応した基準値欄、単位欄及び複数列の検査結果値欄によって構成された検診データ記録ページとを備え、前記基準値欄には被検査ペット個体の身体的完成期における健康状態での検査結果数値を記入し、検査結果値欄には前記基準値以外の検査結果数値を検査日とともに時系列的に記録するようにしたことを特徴とする。
【考案の効果】
【０００９】
本考案のペット用母子手帳によれば、愛称、出生年月日及び写真によってペット個体が特定され、また、当該ペット個体の身体的完成期（犬であれば、成犬となる生後６ケ月から１年６ケ月の時期）の健康時に行った検査結果数値を当該ペット個体の基準値として予め記入してあるため、その後の検診時における健康状態は、種別の違い或いは同種ペット間における個体差に関係なく、この基準値との比較によってより正確に把握することができる。
【００１０】
基準値（正常値）をペット個体の身体的完成期に行った検査結果数値としたのは、いわゆる現代病又は成人病とよばれている病気は、通常、ペットの老成化現象が始まる時期（例えば、犬であれば６歳から７歳）以降に発症することが認められており、また、その他の遺伝的疾病を除く病気についても、身体的完成期以降に発症することが多いことに基づく。即ち、身体的完成期におけるペットのほとんどが健康状態にあることは統計学上認められており、この時期に行った検診での検査数値をもって基準値（正常値）とすることが最も適正であるからである。
【００１１】
もちろん、ペット個体特有の基準値は、加齢とともに若干変化していく数値もあるがそれほど極端な変化はなく、複数回の検査結果数値を時系列状に記入しておけば、その数値変化が加齢によるものなのか否かは経験則上容易に判別できる。しかし、基準値を検出した検診日からその後の検診日との期間がかなり長期になると、その数値変化の正確な理由が判断ができないこともあるので、犬の場合などは、半年（人間では大凡３年半に当たる）に一回程度以上の検診が望ましい。そこで、本考案の母子手帳にあっては、数多くの検診データを時系列的に一見できるよう検診結果値欄を複数列設け、各検診日と検査結果数値を記入しておくことができる構成となっているので、獣医師が被検診ペット個体の検診時における健康状態をより正確に判断することができる。
【考案を実施するための最良の形態】
【００１２】
以下、本考案の母子手帳について、その一実施形態を図面に基づいて説明する。本実施形態による母子手帳は、Ａ４版のやや厚手の用紙を中央で二つ折りにしたＡ５版見開き形式となっている。図１は、折り返し外側面の正面ぺージを示した説明図、図２は、折り返し内側面の見開き状態を示す一部切欠き説明図である。
【００１３】
折り返し外側面１は、折り目２を境にその外側正面ページ３と外側背面ページ４とからなり、外側正面ページ３には、本手帳のタイトル５のほか、ペット愛称６、出生年月日７及びペット写真８が表示され、当該ペット個体を特定するページを構成している。ペット写真８は、飼い主お気に入りの写真をスキャンしカラー印刷するのが望ましいが、切り抜いた写真を貼着したものであってもよい。その他、飼い主や動物病院の住所・氏名又は名称・電話番号等をこの外側正面ページ３又は外側背面ページ４の何れかに適宜表示してもよい。
【００１４】
折り返し内側面９は、左右見開きで、検診データが時系列的に一見できるよう表形式の検査報告書（検査結果記録表）となっていて、検診データ記録ページを構成する。この検査結果記録表は、列左より、検査項目欄１０、参考基準値欄１１、単位欄１２及び複数列の検査結果値欄１３が設けられ、検査項目欄１０には、見出し行１４以下、総蛋白、アルブミン、総ビリルビン・・・カルシウム、無機リン、血糖等の生化学検査項目行１５、次に、ＷＢＣ、ＲＢＣ・・・ＭＣＨＣ、ＰＬＴ等の血算検査項目行１６、更に、既記入の上記検査項目以外の検査を行った際に、その検査項目を適宜記入するための予備行１７がそれぞれ複数設けられている。
【００１５】
参考基準値欄１１には、検査項目欄１０に記入された検査項目に対応する被検査ペット個体の健康状態を示す基準値（正常値）が記入されている。この基準値は、当該ペット個体の身体的完成期における健康状態での検査結果数値で、本例にあっては、被検査ペット個体（ポメラニアン種に属する小型犬）の身体的完成期（成犬化する時期）が大凡生後１年前後であることから、最初の誕生日検診での検査結果数値が記入されている。前述のとおり、ペット個体の身体的完成期にあっては、遺伝的疾病を除く病気の発症はほとんど無く、特に、現代病又は成人病とよばれている病気はペットの老成化現象が始まる時期以降に発症することが認められている。したがって、この時期の検査結果数値をもって当該ペット個体の基準値（正常値）とするのが適正である。
【００１６】
単位欄１２には、図示のごとく、検査項目欄１０に記入された検査項目に対応する数値の各単位が記入されている。
【００１７】
複数列設けられている検査結果値欄１３には、検査項目欄１０に記入された検査項目に対応し、基準値（正常値）を検出した検診（誕生日検診）以外の検診による検査結果数値がその都度記入されていく。また、各検査結果値欄１３の上方には、それぞれの検診年月日を飼主名及びペット名とともに記入できるようある程度の余白が設けられている。尚、検査結果値を記入するに際しては、この検査結果値が基準値より低値の場合は青色、高値の場合は赤色の文字で記入するなどの工夫をすると、その数値変化又は数値異常がより分かり易くなる。
【００１８】
以上のように、本母子手帳によれば、当該ペット個体の正確な基準値（正常値）が予め表記されていて、その後の検診時における検査結果数値が時系列状に表記されていくことになっているので、異なる獣医師や動物病院で受診した場合であっても、当該ペット個体の検診時における健康状態を容易且つ的確に把握することができ、ペットの健康管理や病気の予防又は病気の診断や治療に極めて有用である。
【図面の簡単な説明】
【００１９】
【図１】本実施形態における母子手帳の外側正面ぺージ（ペット個体特定ページ）を示した説明図。
【図２】本実施形態における母子手帳の内側面の見開き状態を示した一部切欠き説明図。
【符号の説明】
【００２０】
１・・・折り返し外側面
２・・・折り目
３・・・外側正面ページ
４・・・外側背面ページ
５・・・タイトル
６・・・ペット愛称
７・・・出生年月日
８・・・ペット写真
９・・・折り返し内側面
１０・・・検査項目欄
１１・・・参考基準値欄
１２・・・単位欄
１３・・・検査結果値欄
１４・・・見出し行
１５・・・生化学検査項目行
１６・・・血算検査項目行
１７・・・予備行
【図１】
0003136018.tif 000003
【図２】
0003136018.tif 000004
【手続補正書】
【提出日】平成18年12月28日(2006.12.28)
【手続補正１】
【補正対象書類名】図面
【補正対象項目名】図１
【補正方法】変更
【補正の内容】
【図１】
0003136018.tif 000005